(57)【要約】【課題】  一次側及び二次側接続管を支持する装置本体の支持板部の変形量を小さくする。【解決手段】支持板部２Ｂの先端部には、一次側接続管４及び二次側接続管５を載置板３を介して支持させる。支持板部２Ｂには、一次側接続管４の上流側端部４２が連結具６を介して固定される第１連結片部２５、及び二次側接続管５の下流側端部５２が連結具６を介して固定される第２連結片部２６を設ける。第１、第２連結片部２５，２６は、載置板３より支持板部２Ｂの基端側に配置する。【選択図】図２
2007248116.tif 000002
【特許請求の範囲】
【請求項１】
前方へ向かってほぼ水平に延びる支持板部を有する装置本体と、この装置本体の支持板部にそれぞれ支持された一次側及び二次側接続管とを備えたガスメータの支持装置において、
上記支持板部に上記一次側接続管と上記二次側接続管との少なくとも一方が下方へ移動不能に連結される連結部が設けられ、この連結部が上記支持板部の上記一方に対する支持部より後方に配置されていることを特徴とするガスメータの支持装置。
【請求項２】
上記連結部が二つ設けられ、各連結部に上記一次側接続管と上記二次側接続管とがそれぞれ連結されていることを特徴とする請求項１に記載のガスメータの支持装置。
【請求項３】
上記二つの連結部に、連結具がそれぞれ着脱可能に装着され、上記一次側接続管及び上記二次側接続管が各連結部にそれぞれ連結具を介して連結されていることを特徴とする請求項２に記載のガスメータの支持装置。
【発明の詳細な説明】
【技術分野】
【０００１】
この発明は、壁部や支柱等にガスメータを取り付けるためのガスメータの支持装置に関する。
【背景技術】
【０００２】
一般に、この種の支持装置は、下記特許文献１に記載されているように、壁や支柱に取り付けられる装置本体と、この装置本体の水平方向前方に向かって延びる支持板部に支持される一次側及び二次側接続管とを備えている。一次側接続管の上流側端部には元栓側の一次側ガス管が接続され、二次側接続管の下流側端部には家庭用の二次側ガス管が接続される。また、一次側接続管の下流側端部と二次側接続管の上流側端部とには、ガスメータの導入口と導出口とがそれぞれ螺合固定される。これにより、ガスメータが支持装置を介して壁や支柱等に支持される。
【０００３】
【特許文献１】特開２０００−４６６２１号公報
【発明の開示】
【発明が解決しようとする課題】
【０００４】
ガスメータは、前後方向に所定の厚みを有している。しかも、一次側及び二次側接続管にそれぞれ接続されるガス管は、ガスメータの背面側に配置されている。このため、一次側接続管のガスメータが接続される下流側端部は、ガス管が接続される上流側端部より前方に配置されており、支持板部の先端部に支持されている。同様に、二次側接続管のガスメータが接続される上流側端部は、支持板部の先端部に支持されている。各接続管が支持板部の先端部に支持されているので、各接続管に不慮の外力が下方に向かって作用すると、支持板部の基端部に大きな応力が発生し、支持板部の基端部が大きく変形する可能性があった。
【課題を解決するための手段】
【０００５】
この発明は、上記の問題を解決するためになされたもので、前方へ向かってほぼ水平に延びる支持板部を有する装置本体と、この装置本体の支持板部にそれぞれ支持された一次側及び二次側接続管とを備えたガスメータの支持装置において、上記支持板部に上記一次側接続管と上記二次側接続管との少なくとも一方が下方へ移動不能に連結される連結部が設けられ、この連結部が上記支持板部の上記一方に対する支持部より後方に配置されていることを特徴としている。
この場合、上記連結部が二つ設けられ、各連結部に上記一次側接続管と上記二次側接続管とがそれぞれ連結されていることが望ましい。特に、上記二つの連結部に、連結具がそれぞれ着脱可能に装着され、上記一次側接続管及び上記二次側接続管が各連結部にそれぞれ連結具を介して連結されていることが望ましい。
【発明の効果】
【０００６】
上記特徴構成を有するこの発明によれば、一次側及び二次側接続管の少なくとも一方に下方を向く外力が作用したとき、その外力の一部が連結部によって支持される。ここで、連結部は、上記一方に対する支持板部の支持部より後端側に配置されている。したがって、外力によって支持板部の基端部に発生する応力を小さくすることができ、その分だけ支持板部の変形量を小さくすることができる。
【発明を実施するための最良の形態】
【０００７】
以下、この発明を実施するための最良の形態を、図面を参照して説明する。
図１〜図３は、この発明の第１実施の形態を示す。この実施の形態のガスメータの支持装置１は、ガス管や水道管等が設置されるマンションのパイプシャフトと称される空間内にガスメータ（図示せず）を設ける際に用いられるものであり、パイプシャフト内に長手方向を水平方向に向けて互いに平行に配置された二つの支持部材Ｓ，Ｓに取り付けられている。勿論、支持装置１は、建物の外壁や支柱に取り付ける態様に変更することも可能である。
【０００８】
支持装置１は、装置本体２、載置板３、一次側接続管４及び二次側接続管５を有している。装置本体２は、いずれも金属製の板材からなる取付板部２Ａ及び支持板部２Ｂによって構成されている。取付板部２Ａは、ほぼ鉛直に配置されており、その上端部には、当該上端部を後方へ向かって折り曲げた後、下方へ向かって折り曲げることにより、下方に向かって開放された断面略四角形の係合凹部２１が形成されている。この係合凹部２１には、上側に配置された支持部材Ｓが嵌合されている。これにより、取付板部２Ａの上端部が、支持部材Ｓに前後方向及び下方へ移動不能に支持されている。取付板部２Ａの上下方向の中間部には、ボルト１１が挿通されている。このボルト１１は、支持部材Ｓ内に挿入された挟持板１２に螺合されている。そして、ボルト１１を締め付けることにより、取付板部２Ａの中間部が下側の支持部材Ｓの前面に押圧固定されている。この結果、取付板部２Ａが支持部材Ｓ，Ｓに支持固定されている。しかも、上側の支持部材Ｓが係合凹部２１に左右方向へ相対移動可能に嵌合され、かつ挟持板１２が下側の支持部材Ｓに左右方向へ移動可能に挿入されているので、ボルト１１を緩めることにより、取付板部２Ａは左右方向へ位置調節可能である。
【０００９】
支持板部２Ｂは、平面視長方形状をなし、長手方向を前後方向に向けて水平に配置された水平板部２２と、この水平板部２２の左右両側部に設けられた補強板部２３，２４とから構成されている。支持板部２Ｂの基端部（後端部）は、取付板部２Ａの上下方向における中間部に固定されている。したがって、支持板部２Ｂは、取付板部２Ａから前方へ向かって水平に延びている。
【００１０】
上記載置板３は、平面視長方形の金属製の板材からなるものであり、その長手方向を左右方向に向けて配置されている。載置板３の左右方向の中央部が、支持板部２Ｂの先端部に載置され、ボルト１３及びナット１４によって固定されている。載置板３の左右の両端部は、支持板部２Ｂから左右方向へ突出している。支持板部２Ｂから左右に突出した載置板３の左右両端部の前面には、凹部３１，３２がそれぞれ形成されている。
【００１１】
上記一次側接続管４は、逆「Ｕ」字状をなしており、その両端開口部を下方に向けた状態で配置されている。しかも、一次側接続管４は、その下流側端部４１が上流側端部４２の前方に位置するように配置されている。一次側接続管４の下流側端部４１は、載置板３の左側に形成された凹部３１に挿入されている。これにより、下流側端部４１の前後方向及び左右方向の位置決めがなされている。一次側接続管４の上流側端部４２には、元栓側のガス管、例えばフレキシブルガス管が接続され、ガス管から一次側接続管４の上流側端部４２の内部にガスが供給される。
【００１２】
一次側接続管４の下流側端部４１のうちの凹部３１に挿入された部分に対して後側に隣接する部分には、固定腕部４３が設けられている。この固定腕部４３が載置板３に載置されることにより、一次側接続管４の上下方向の位置決めがされている。固定腕部４３は、それを貫通するとともに載置板３を貫通したボルト１５及びこのボルト１５に螺合されたナット１６によって載置板３に固定されている。これにより、一次側接続管４の下流側端部４１が、載置板３に固定され、載置板３を介して支持板部２Ｂの先端部に支持されている。したがって、この実施の形態では、固定腕部４３の載置板３に対する固定部が支持板部２Ｂの一次側接続管４に対する支持部になっている。下流側端部４１は、固定腕部４３を介して固定する代わりに、凹部３１に挿入されている部分を載置板３１に直接固定してもよい。
【００１３】
一次側接続管４の内部には、弁体（図示せず）が設けられている。この弁体をハンドル４４によって開位置と閉位置との間において回動させることにより、一次側接続管４の内部の上流側と下流側との間が開閉されるようになっている。
【００１４】
上記二次側接続管５は、一次側接続管４と同様に、逆「Ｕ」字状をなしており、その上流側の開口部及び下流側の開口部を下方に向けた状態で配置されている。ただし、二次側接続管５は、その上流側端部５１が下流側端部５２の前方に位置するように配置されている。二次側接続管５の上流側端部５１は、載置板３の右側に形成された凹部３２に挿入されている。これにより、上流側端部５１の前後方向及び左右方向の位置決めがなされている。二次側接続管５の下流側端部５２には、家庭内に引き込まれるフレキシブルガス管等のガス管（図示せず）が接続される。
【００１５】
二次側接続管５の上流側端部５１のうちの凹部３２に挿入された部分に対して後側に隣接する部分には、固定腕部５３が設けられている。この固定腕部５３が載置板３に載置されることにより、二次側接続管５の上下方向の位置決めがなされている。固定腕部５３は、それを貫通するとともに載置板３を貫通したボルト１５及びこのボルト１５に螺合されたナット１６によって載置板３に固定されている。これにより、二次側接続管５の上流側端部５１が載置板３に固定され、載置板３を介して支持板部２Ｂの先端部に支持されている。したがって、この実施の形態では、固定腕部５３の載置板３に対する固定部が支持板部２Ｂの二次側接続管５に対する支持部になっている。上流側端部５１は、固定腕部５３を介して固定する代わりに、凹部３２に挿入されている部分を載置板３１に直接固定してもよい。
【００１６】
一次側接続管４の下流側端部４１及び二次側接続管５の上流側端部５１には、ガスメータの導入口及び導出口（いずれも図示せず）が接続ナット１７，１７によってそれぞれ気密に押圧固定され、それによって下流側端部４１と導入口、及び上流側端部５１と導出口がそれぞれ気密に接続されている。各端部４１，５１と導入口及び導出口との接続に際しては、下流側端部４１及び上流側端部５１が凹部３１，３２に挿入されることによって位置決めされているので、接続作業を容易に行うことができる。各接続管４，５とガスメータとが接続されることにより、一次側接続管４に供給されたガスがガスメータを通って二次側接続管５に流れる。
【００１７】
図２及び図４〜図５に示すように、支持板部２Ｂの補強板部２３，２４は、前後方向を向く第１、第２連結片部（第１、第２連結部）２５，２６がそれぞれ形成されている。第１、第２連結部２５，２６は、固定腕部４３，５３の載置板３に対する固定部、つまり一次側及び二次側接続管４，５の支持板部２Ｂによる支持部より後方に位置するよう、補強板部２３，２４の後端部に配置されている。特に、この実施の形態では、載置板３より後方に配置されている。なお、この実施の形態においては、第１、第２連結片部２５，２６が、同一形状を有し、前後方向及び上下方向において同一位置に配置されているが、接続管４，５の形状、寸法が互いに異なる場合には、それに対応して異なる形状に形成し、また異なる位置に配置してもよい。
【００１８】
図１〜図３に示すように、第１連結片部２５には、一次側接続管４の上流側端部４２が連結具６を介して固定されている。第２連結片部２６には、二次側接続管５の下流側端部５２が連結具６を介して固定されている。二次側接続管５の下流側端部５２は、一次側接続管４の上流側端部４２を第１連結片部２５に固定する連結具６と異なる連結具を用いて第２連結片部２６に固定してもよい。
【００１９】
連結具６は、一対の回動片６１，６２とヒンジ部６３とを有している。一方の回動片６１は、金属製の板材からなるものであり、略半円形の挟持部６１ａと、この挟持部６１ａの一端部に連設された平板部６１ｂとから構成されている。他方の回動片６２は、回動片６１と対称に形成されており、挟持部６２ａ及び平板部６２ｂとから構成されている。回動片６１，６２の他端部どうしは、ヒンジ部６３によって上下方向に延びる軸線を中心として回動可能に形成されている。
【００２０】
一対の回動片６１，６２の挟持部６１ａ，６２ａは、一次側接続管４の上流側端部４２とそれぞれ半周弱にわたって接触している。その状態では、回動片６１，６２の平板部６１ｂ，６２ｂが前後方向へ互いに離間している。したがって、平板部６１ｂ，６２ｂを貫通して第１連結片部２５に螺合されたボルト１８を締め付けると、平板部６１ｂが第１連結片部２５に押圧されるとともに、平板部６２ｂが平板部６１ｂに接近移動する。平板部６２ｂの移動に伴って挟持部６１ａ，６２ａが上流側端部４２を挟持する。これにより、上流側端部４２が第１連結片部２５に連結具６を介して固定されている。同様にして二次側接続管５の下流側端部５２が第２連結片部２６に連結具６を介して固定されている。
【００２１】
上記のように構成されたガスメータの支持装置１においては、各接続管４，５に上下方向を向く外力が作用した場合、特に下方を向く外力が作用した場合、その外力の一部が、固定腕部４３，５３及び載置板３を介して支持板部２Ｂに作用し、他の一部が連結具６，６及び第１、第２連結片部２５，２６を介して支持板部２Ｂに作用する。この場合、第１、第２連結片部２５，２６が固定腕部４３，５３より後方に位置しているので、全ての外力が固定腕部４３，５３を介して支持板部２Ｂに作用する場合に比して、支持板部２Ｂの基端部に発生する応力を小さくすることができる。したがって、支持板部２Ｂの下方への変形量を少なくすることができる。
【００２２】
図７は、連結具６の代わりに用いられる連結具６′を示す。この連結具６′は、回動片６１，６２が一体に設けられている。したがって、ボルト１８の締め付けに伴って平板部６２ｂが平板部６１ｂ側に接近移動すると、それに応じて挟持部６１ａ，６２ａが弾性変形し、上流側端部４２（下流側端部５２）に押圧接触する。その他の構成は、連結具６と同様である。
【００２３】
図８は、連結具６の代わりに用いられる連結具６″を示す。この連結具６″は、連結具６′を変形したものであり、回動片６１の挟持部６１ａが略３／４円状に形成され、回動片６２の挟持部６２ａが１／４円状に形成されている。
【００２４】
図９〜図１２は、この発明の第２実施の形態を示す。この実施の形態のガスメータの支持装置１′においては、補強板部２３に一対の貫通孔２３ａ，２３ｂが形成されている。一対の貫通孔上下方向には同一位置に配置されているが、前後方向には所定距離だけ離間して配置されている。貫通孔２３ａ，２３ｂには、連結具たるＵボルト７の一端部と他端部とがそれぞれ挿通されている。Ｕボルト７の中央部は、一次側接続管４の上流側端部４２を略半周にわたって巻回している。したがって、Ｕボルト７の各端部にそれぞれ螺合されたナット１９を締め付けると、上流側端部４２が補強板部２３のうちの貫通孔２３ａ，２３ｂ間に位置する中間部（第１連結部）２３ｃに押圧固定される。中間部２３ｃは、固定腕部４３より後方に位置しているのみならず、載置板３より後方に位置している。
【００２５】
同様に、補強板部２４には、一対の貫通孔２４ａ，２４ｂが形成されており、貫通孔２４ａ，２４ｂは、貫通孔２３ａ，２３ｂとそれぞれ上下方向及び前後方向において同一位置に配置されている。勿論、一次側及び二次側接続管４，５が異なる形状、寸法を有している場合には、それに対応して異なる位置に配置してもよい。そして、貫通孔２４ａ，２４ｂに挿通されたＵボルト７及びナット１９によって二次側接続管５の下流側端部５２が貫通孔２４ａ，２４ｂの中間部（第２連結部）２４ｃに押圧固定されている。中間部２４ｃは、固定腕部５３及び載置板３より後方に位置している。
【００２６】
この実施の形態においても、一次側及び二次側接続管４，５に下方を向く外力が作用した場合には、その一部を中間部２３ｃ，２４ｃが支持する。そして、中間部２３ｃ，２４ｃが固定腕部４３，５３より後方に位置しているので、上記第１の実施の形態と同様に支持板部２Ｂの下方への変形を少なくすることができる。
【００２７】
図１３は、Ｕボルト７の代わりに用いられる連結具７′を示す。この連結具７′は、金属製の板材からなるものであり、略「Ｕ」字状をなす挟持部７１と、この挟持部７１の両端部に設けられた平板部７２，７２を有している。各平板部７２及び補強板部２３を貫通したボルト２０及びこれに螺合されたナット（図示せず）を締め付けると、一次側接続管の上流側端部４２が挟持部７１によって中間部２３ｃに押圧固定される。同様にして、二次側接続管５の下流側端部５２が連結具７′によって中間部２４ｃに押圧固定される。
【００２８】
図１４は、Ｕボルト７の代わりに用いられる連結具７″を示す。この連結具７″は、連結具７′を変形したものであり、一方の平板部７２にだけボルト２０が挿通されるようになっている。その他の構成は、連結具７′と同様である。
【００２９】
なお、この発明は、上記の実施の形態に限定されるものでなく、その要旨を逸脱しない範囲において適宜変更可能である。
例えば、上記の実施の形態においては、一次側及び二次側接続管４，５が支持板部２Ｂに載置板３を介して支持されているが、載置板３を支持板部２Ｂに一体に形成することにより、支持板部２Ｂに直接支持させてもよい。
また、一次側及び二次側接続管４，５を逆「Ｕ」字状に形成しているが、下向きの「コ」字状、又は他の形状にしてもよい。
さらに、上記の各実施の形態においては、一次側接続管４の上流側端部４２及び二次側接続管５の下流側端部５２を、連結部たる第１、第２連結片部２５，２６又は中間部２３ｃ、２４ｃにそれぞれ固定しているが、上流側端部４２と下流側端部５２とのいずれか一方だけを固定してもよい。さらに、上流側端部４２及び下流側端部５２は、連結部２５，２６；２３ｃ、２４ｃに固定することなく、少なくとも下方へ移動不能に連結するだけでもよい。
【図面の簡単な説明】
【００３０】
【図１】この発明の第１実施の形態を示す正面図である。
【図２】同実施の形態の平面図である。
【図３】同実施の形態の左側面図である。
【図４】同実施の形態において用いられている装置本体を示す正面図である。
【図５】同装置本体の平面図である。
【図６】図４のＸ−Ｘ線に沿う断面図である。
【図７】同実施の形態において用いられる連結具の他の例を示す斜視図である。
【図８】同実施の形態において用いられる連結具のさらに他の例を示す斜視図である。
【図９】この発明の第２実施の形態を示す正面図である。
【図１０】同実施の形態の左側面図である。
【図１１】図９のＸ−Ｘ線に沿う断面図である。
【図１２】同実施の形態において用いられている装置本体を示す斜視図である。
【図１３】同実施の形態において用いられる連結具の他の例を示す斜視図である。
【図１４】同実施の形態において用いられる連結具のさらに他の例を示す斜視図である。
【符号の説明】
【００３１】
１  ガスメータの支持装置
１′  ガスメータの支持装置
２  装置本体
２Ｂ  支持板部
４  一次側接続管
５  二次側接続管
６  連結具
６′  連結具
６″  連結具
７  Ｕボルト（連結具）
７′  連結具
７″  連結具
２３ｃ  中間部（連結部）
２４ｃ  中間部（連結部）
２５  第１連結片部（連結部）
２６  第２連結片部（連結部）
【図１】
2007248116.tif 000003
【図２】
2007248116.tif 000004
【図３】
2007248116.tif 000005
【図４】
2007248116.tif 000006
【図５】
2007248116.tif 000007
【図６】
2007248116.tif 000008
【図７】
2007248116.tif 000009
【図８】
2007248116.tif 000010
【図９】
2007248116.tif 000011
【図１０】
2007248116.tif 000012
【図１１】
2007248116.tif 000013
【図１２】
2007248116.tif 000014
【図１３】
2007248116.tif 000015
【図１４】
2007248116.tif 000016